(57)【要約】本発明は、ソフトウェアコードで実現されるエラーリカバリストラテジ方法を活用した光記録装置に関する。エラーリカバリ方法は、エラーの検出に応じてエクステントへのデータの書き込みを停止するステップ、ディスク１のデータファイルにおける別のロケーションにエクステントの残りを書き込むステップを含む。全てのエクステントが書き込まれた後、修復プロセスは、第一の不完全なエクステントとデータファイルにおける別の位置に書き込まれた最後の部分を結合することで不完全なエクステントを修復する。結合されたエクステントは、エラーのない連続的なエクステントである。
2008518374.tif 000002
【特許請求の範囲】
【請求項１】
断片化された記録ストラテジを使用した、光ディスクにデータを書き込む方法であって、
オリジナルのエクステントのデータを前記光ディスクに書き込むステップと、
エラーの検出に応じて前記データの書き込みを停止するステップと、
第一のエクステントへの前記書き込まれたデータの割り当てを保持するステップと、
データファイルにおける前記ディスクの別のロケーションへの、前記オリジナルエクステントの未だ書き込まれていないデータの書き込みを継続するステップと、
修復プロセスで、前記第一のエクステントを前記データファイルと結合して、後の時間で連続的に修復されたエクステントを形成するステップと、
を含む方法。
【請求項２】
前記結合するステップは、前記修復プロセスで、全てのオリジナルのエクステントが書き込まれたときに実行される、
請求項１記載の方法。
【請求項３】
前記修復プロセスが中断された場合に、別の時間で前記修復プロセスを継続するステップを更に含む、
請求項１記載の方法。
【請求項４】
前記修復プロセスの中断は、電源故障又は前記ディスクの除去による、
請求項３記載の方法。
【請求項５】
前記結合するステップは、前記修復プロセスで、前記第一のエクステントと同じロケーションに書き込むステップを含む、
請求項１記載の方法。
【請求項６】
前記結合するステップは、前記修復プロセスで、前記第一のエクステントとは異なるロケーションに書き込むステップを含む、
請求項１記載の方法。
【請求項７】
前記データファイルは、後の時間での記録を修復するために使用される情報を含むレコードを含む、
請求項１記載の方法。
【請求項８】
前記レコードは、前記第一のエクステントに関するアドレス情報を含む、
請求項７記載の方法。
【請求項９】
前記光ディスクは、Ｂｌｕ−Ｒａｙディスクである、
請求項１記載の方法。
【請求項１０】
前記修復プロセスは、バックグランドプロセスとして動作される、
請求項１記載の方法。
【請求項１１】
前記エラーが別の装置で生じた場合に前記修復プロセスを継続するステップを更に含む、
請求項１記載の方法。
【請求項１２】
断片化された記録ストラテジを利用した、光ディスクにデータを書き込む装置であって、
前記光ディスクのエクステントにデータを書き込む手段と、
エラーの検出に応じて前記エクステントへのデータの書き込みを停止する手段と、
第一のエクステントへの前記書き込まれたデータの割り当てを保持する手段と、
データファイルにおける前記ディスクの別のロケーションへの、前記エクステントのデータの書き込みを継続する手段と、
修復プロセスで、前記第一のエクステントと前記データファイルを結合して、後の時間での連続する修復されたエクステントを形成する手段と、
を有する装置。
【請求項１３】
前記修復プロセスが中断された場合、別の時間で前記エラーの修復プロセスを継続する手段を更に有する、
請求項１２記載の装置。
【請求項１４】
前記結合する手段は、前記修復プロセスで、前記割り当てられたエクステントに書き込む手段を有する、
請求項１２記載の装置。
【請求項１５】
前記結合する手段は、前記修復プロセスで、別のエクステントに書き込む手段を有する、
請求項１２記載の装置。
【請求項１６】
前記データファイルは、後の時間で、記録を修復するために使用される情報を含むレコードを有する、
請求項１２記載の装置。
【請求項１７】
前記レコードは、前記第一のエクステントに関するアドレス情報を有する、
請求項１６記載の装置。
【請求項１８】
前記光ディスクは、Ｂｌｕ−Ｒａｙディスクである、
請求項１２記載の装置。
【請求項１９】
前記修復プロセスは、バックグランドプロセスとして動作する、
請求項１２記載の装置。
【請求項２０】
前記エラーが別の装置で生じた場合、前記修復プロセスを継続する手段を更に有する、
請求項１２記載の装置。
【請求項２１】
断片化された記録ストラテジを利用した、光ディスクにデータを書き込むためのコンピュータプログラムであって、
前記光ディスクのエクステントにデータを書き込むために命令のセットと、
エラーの検出に応じて、前記エクステントへの前記データの書き込みを停止する命令のセットと、
第一のエクステントへの前記書き込まれたデータの割り当てを保持する命令のセットと、
データファイルにおける前記ディスクの別のロケーションへの、前記エクステントのデータの書き込みを継続する命令のセットと、
修復プロセスで、前記第一のエクステントを前記データファイルと結合して、後の時間で連続的に修復されたエクステントを形成するための命令セットと、
を有するコンピュータプログラム。
【請求項２２】
断片化された記録ストラテジを利用した、光ディスクからデータを読み取る装置であって、
前記光ディスクのエクステントからデータを読み取る手段と、前記データは、請求項１に係る方法に従って記録され、前記修復ステップは未だ行われておらず、
前記読み取りフェーズの間の補正プロセスで、前記第一のエクステントを前記データファイルと結合して、補正された修復エクステントを形成する手段と、
を有する装置。
【発明の詳細な説明】
【技術分野】
【０００１】
本発明は、光ディスクプレーヤにおけるビット検出に関し、より詳細には、分裂されたデータストレージ方法が設けられる高密度光ディスクでのエラーリカバリストラテジ（error  recovery  strategy）に関する。
【背景技術】
【０００２】
現在、データシステムのユーザからのデータストレージキャパシティのこれまでにない増加する要求に追従するため、たとえばＣＤ（Compact  Disc）、ＤＶＤ（Digital  Versatile  Disc）及びＢＤ（Blu-Ray  Disc）システムといったデータストレージシステムに関する広範な進行中の研究が行われている。Ｂｌｕ−Ｒａｙディスクは、従来のＣＤシステムに関する類似の技術を活用するが、使用されるレーザは、青−紫レンジ（４０５ｎｍであるが、他の波長も考慮される場合がある）におけるレーザである。Ｂｌｕ−ＲａｙディスクとＣＤ／ＤＶＤとの間の別の重要な違いは、データがエクステント（extents）に断片化されて記憶されることである。規格の使用に従ってＢＤシステムがどのように動作するかに関する詳細は、他の場所で発見される。
【０００３】
ＢＤ技術分野での現在の研究及び開発の中には、２７ＧＢの規格の使用を超えてＢｌｕ−Ｒａｙディスクのデータストレージキャパシティを増加する可能性を関わるものがある。異なる技術は、これらのディスクに記憶されるデータビットのダブルレイヤ及び／又は高い密度のようなこのプロセスで利用される。残念なことに、ビット密度を増加することは、読み取り及び／又は書き込みエラーの確率を増加させる。したがって、この問題を克服する異なる試みが文献で与えられている。
【０００４】
記録及び再生の間のエラー量を低減するため、著しいローカルストレージ機能を有することがレコーダには必要とされる。これは、エラーが回復され、アロケーションルールが準拠することを保証する。しかし、レコーダで利用可能な大きなローカルストレージを有することで、デバイスの複雑度及びコストを増加させる。
【０００５】
ＷＯ０３０９６３３８は、デジタルでエンコードされたビデオ情報を記録する装置に関して教示している。この装置は、記録エラーを検出するエラー検出ユニット及び検出された記録エラーがある場合にブリッジセグメントを作成するブリッジユニットを有する。ブリッジセグメントは、検出された記録エラーの前のセグメントにおけるエグジットポイントと記録エラーの落ちのセグメントにおけるエントリポイントとの間の記録された情報を置き換える。最後の記録は、欠陥のあるブロックから欠陥のないブロックへのデータブロック及びブリッジクリップの系列を含む。これは、損傷した部分を修復するが、不完全な部分をブリッジするスムースとランジションを形成する。残念なことに、このソリューションに関して他の問題が存在し、すなわち、かなりの量のローカルストレージを有するという要件か、又は、このソリューションに一致しないシステムとの互換性を維持する問題に対処するという要件が存在する。
【発明の開示】
【発明が解決しようとする課題】
【０００６】
したがって、本発明の目的は、上述された問題のうちの１以上の問題を単独で、又は組み合わせで軽減、緩和、若しくは除去することにある。
【課題を解決するための手段】
【０００７】
本発明は、特許請求の範囲に従う、エラー回復方法を実現する装置、方法及びコンピュータプログラムを提供することで、当該技術分野における先に識別された問題を克服するものである。
【０００８】
本発明に係る一般的なソリューションは、エラーが検出された記録フェーズの間、エクステントへのデータの書き込みを停止し、エクステントの割り当てを保持し、残りのデータをデータファイルにおけるディスクの別のロケーションに書き込むことである。全てのデータが書き込まれた後、修復プロセスは、データファイルから完全に修復されたエクステントに、第一の不完全なエクステントを残りの部分と結合することで、不完全なエクステントを修復する。
【０００９】
本発明の１態様によれば、断片化されたファイルシステムを使用して、光ディスクにデータを記録するための方法が提供され、当該方法は、オリジナルの第一のエクステントをディスクに前もって割り当てるステップ、前記オリジナルの第一のエクステントにデータを書き込むステップ、エラーの検出に応じて前記データの書き込みを停止するステップ、データファイルにおける前記ディスクの前記オリジナルの別のロケーションに、前記オリジナルの第一のエクステントの未だ書き込まれていないデータの書き込みを継続するステップ、修復プロセスにおいて、たとえば全てのオリジナルのエクステントが書き込まれた後といった後の時間で、前記オリジナルの第一のエクステントを前記データファイルと結合して連続的に修復されたエクステントにするステップを含む。
【００１０】
本発明の更に別の態様によれば、データを光ディスクに記録する装置が提供される。本装置は、以下を含むために構成される。ディスクのエクステントにデータを書き込むためのアレンジメント又はインストラクションセット、エラーの検出に応じて前記エクステントへの前記データの書き込みを停止するためのアレンジメント又はインストラクションセット、第一のエクステントへの前記書き込まれたデータの割り当てを保持するためのアレンジメント又はインストラクションセット、データファイルにおける前記ディスクの別のロケーションへの前記エクステントのデータの書き込みを継続するアレンジメント又はインストラクションセット、修復プロセスにおいて、たとえば全てのオリジナルのエクステントが書き込まれた後といった後の時間で、前記第一のエクステントを前記データファイルと結合して連続的に修復されたエクステントにするためのアレンジメント又はインストラクションセット。
【００１１】
本発明の更に別の態様では、光学読取装置が提供される。この光学読取装置は、読み取り段階の間にエラーを読み取り、補正するため、（本発明に係る上述された方法を使用して書き込まれる）不完全なエクステントを修復するために使用されていないエラーリカバリ情報を使用する場合がある。これは、一度行われる先の修復プロセスとは対照的に、ディスクが読み取られるたびに行われ、その後、ディスクは、逆にできないように修復され、本質的にエラーがない。
【００１２】
本発明は、本発明を実現しない光学読取装置と完全に互換性を有する従来技術に対して利点を有し、本発明は、光学読み取り装置で必要なローカルストレージの量を低減する。後の時間で、本発明に係る方法を実現する限り異なる装置で、修復プロセスを再開することが可能である。
【００１３】
本発明のこれらの態様及び他の態様は、以下に記載される実施の形態を参照して明らかにされるであろう。  
以下では、本発明は、開示される図面に例示される例示的な実施の形態を参照して、限定されないやり方で、更に詳細に記載される。
【発明を実施するための最良の形態】
【００１４】
本発明は、Ｂｌｕ−Ｒａｙディスクシステム又は装置のような、断片化された記録ストラテジを活用した、光学記録システムで使用されるロッキングエイド方法を提供する。データは、断片化されたやり方でＢｌｕ−Ｒａｙディスクに記憶され、データが連続的な方式で記憶され、ディスクに記憶されているように順次にアクセスされる従来のＣＤ（Compact  Disc）又はＤＶＤ（Digital  Video  Disc）とは対照的に、ランダムにアクセスすることができる。
【００１５】
図１は、データを読み取り及び書き込むため、４０５ｎｍのレーザ波長により、たとえばレーザダイオードの形式で、たとえばレーザといった光源を使用して光ディスクにデータを書き込み、光ディスクからデータを読み取るためにシステムが例示されている。本発明は、上述されたレーザ波長に限定されるものではないが、この波長は、本発明の最良の形態で使用される。ディスク１は、データを記憶するために使用され、レーザソース２は、ディスク１に向けられる光ビーム８を生成する。光ビーム８は、幾つかの光コンポーネント４を通過し、コンポーネントの数は、使用される特定のソリューションに依存する。光ビーム８は、ディスクから反射され、検出器３に伝送され、この検出器３は、信号分析のために処理ユニット７に接続されており、機器に依存して、データは異なるやり方で与えられる。たとえば、ミュージックプレーヤについて、音楽は増幅器に出力されるか、スピーカ（図示せず）に直接的に出力され、ビデオプレーヤについて、ビデオ信号は、テレビジョンセットに出力されるか、又は、データリーダのケースでは、データビットは、たとえばパーソナルコンピュータ（ＰＣ）に出力される。
【００１６】
光ビーム８は、少なくとも１つのフォーカスレンズ、ディスク１の異なる位置に光ビームを移動させる１又は複数のアクチュエーティング光コンポーネント、及びディスクに記録されたデータを示す反射された放射線を検出する検出器４、のような異なる光コンポーネントに向けられる。幾つかのソリューションでは、これらの機能の幾つかは、ディスク１の半径方向に関して移動可能なリーディングヘッドに組み込まれる。
【００１７】
本発明は、データがディスク１に記録される記録フェーズの間に使用される方法に関する。データは、情報ブロック６でディスク１に記録される。エクステントは、所定のデータパケットが記憶されるエリアとして定義される。データは、幾つかの保護レイヤによりプロテクトされることがある記録レイヤにおける、溝、ピット、又はバンプとしてディスクに表される。この記録レイヤの鍵となる機能は、記録レイヤで屈折率が変化するときにデータが表現されることである。
【００１８】
データは検出器３により測定され、したがって供給されたデータ信号は、図３で見られるように処理ユニット３０１により処理される。処理ユニットは、たとえば復調器、デフォーマッタ、及びエラー検出手段を有する。他の機能は、読み取りプロセス及び放射された光ビームのロケーション、読み取り速度、又は他のステアリングメカニズムのように、処理ユニット３０１により供給される。処理ユニット３０１は、ディスク読み取りユニット３０７の一部であり、このディスク読み取りユニットは、たとえば処理ユニット３０１、メモリユニット３０２、出力手段３０４、入力手段３０５、接続手段３０６、及び他の機能手段３０３を有している。
【００１９】
処理ユニット３０１は、マイクロプロセッサ、ＤＳＰ（Digital  Signal  Processor）、ＡＳＩＣ（Application  Specific  Integrated  Circuit）、ＦＰＧＡ（Field  Programmable  Gate  Array）、又は類似の計算ユニットである。
【００２０】
メモリユニット３０２は、限定されるものではないがＲＡＭチップのような揮発性メモリ、限定されるものではないがリライタブルＲＯＭ、ハードディスク、フラッシュメモリ、又は他の一般に利用可能なメモリソリューションのような不揮発性メモリのいずれかを有する。
【００２１】
出力手段又はアレンジメント３０４は、更なる処理又はエンドユーザの使用のため、読み取り信号を外部装置に出力するために使用される。信号は、たとえばデータを転送するコンピュータに、ミュージック又はビデオプレイバックシステムに出力されるか、テレビジョンセット又はヘッドフォンのようなビューイング又はリスニング装置に直接に出力される。
【００２２】
入力手段又はアレンジメント３０５は、ディスク読取装置とのヒューマン又はデバイスインタラクションのために使用される。ヒューマンは、開始、停止又は類似の動作機能の制御のため、装置に配置されるボタンを使用するか、リモートコントロール装置を通して、ディスク読み取り装置を制御するのを望む。接続手段３０６は、ディスク読み取りコンポーネント（光コンポーネント、検出器等）から信号を取得するために使用される。他の通信手段（図示せず）は、Ｅｔｈｅｒｎｅｔ（登録商標）又は類似のパケットベースの通信プロトコル、有線又は無線のような、シリアルリンク、パラレルリンク、又はネットワークの機能性を使用して、装置と通信するために使用される。
【００２３】
データは、エクステント、すなわち所定のサイズの隣接するディスクスペースのまとまりでディスクに記録／記憶される。データのタイプに依存して、エクステントのサイズは変化し、たとえば、限定されるものではないが、トランスポートストリームについて１２メガバイト及びＤＶストリームについて２４メガバイトである。
【００２４】
読取装置は、処理ユニットに組み込まれているか、又は個別に機能ユニットに組みこまれているエラー検出手段が設けられていることがある。エラー検出手段は、記録フェーズの間に生じるエラー、ディスクのウェア及びダメージから、プレイバックの間に装置に影響を及ぼす振動又は他の機械的な乱れから、エラーを検出するために使用される。エラーソースに依存して、異なるソリューションが実現される。本発明は、記録フェーズの間に生じるエラーに関し、そのフェーズの間のこれらの問題に対処するものである。
【００２５】
本発明の好適な実施の形態では、エラーリカバリの方法が実現され、説明される。記録フェーズの間、エラーが生じる場合があり、エラーが検出された場合、本発明は、エラーの記録、損傷されたデータの回復のストラテジに応じた新たな方法を有する。記録フェーズの間にエラーが検出された場合、制御システムは、そのエクステントへのデータの書き込みを中止し（このエクステントを第一のエクステントと呼ぶ）、第一のエクステントの書き込まれていない部分は、データファイルにおけるディスクの別のロケーションに書き込まれ、同時に、オリジナルエクステントの割り当てが保持される。このエクステントの「書き込まれていない」部分について形成されたデータファイルにおいて、後のステージで損傷されたエクステントを修復するために使用されるレコードが組み込まれる。この後、プロセスは、次のエクステントをディスクに書き込み続ける。第二のエクステントは、ディスクに記憶された情報の現実の再生／読み取りのために使用されないが、修復プロセスのためにのみ使用されるデータファイルに書き込まれないので、オリジナルのエクステントとは異なるサイズからなる。
【００２６】
記録フェーズの終わりで、バックグランドプロセスが開始され、このプロセスは、異なるロケーションで分裂された情報を保持する代わりに、それぞれの連続なエクステントに再書き換えすることで損傷されたエクステントを修復する。修復プロセスは、第一及び第二のエクステントを、エラーのために割り込みされたオリジナルエクステントの完全な情報を有する１つのエクステントに結合する。
【００２７】
例を検証することで更に密着して考える。エクステントが少なくとも２４メガバイトの長さであることを必要とし、書き込みプロセスの間に、１０メガバイトが書き込まれた後にエラーが生じるとする。次いで、書き込みプロセスが中断され、残りの１４メガバイトは、全体の２４メガバイトのエクステントが別のロケーションで書き込まれる必要がある従来技術システムとは対照的に、ディスクの別のロケーションにあるデータファイルに書き込まれる。従来技術では、ビデオ又はミュージックディスクのようなストリーミングアプリケーションにとって本質的である、ディスク読取装置が連続的なデータの読み取りを有するために新たなロケーションにジャンプするために「ブリッジ」が形成される。本発明では、修復プロセスは、第一のエクステントが書き込みするのを試みられたのと同じロケーションにエクステントをリライトすることができる。これは、アロケーションがもとのまま保持されており、したがってディスクスペースがこの目的のために確保されていることによる。しかし、本発明は、オリジナルの欠陥が試みたのと同じロケーションにデータを書き込むことに限定されないが、データは、ディスクの何れか適切なロケーションに限定されない。データは、オリジナルエクステントの２つの部分から１つの部分に収集され（第一のエクステント及び第二のエクステントはデータファイルに記憶される）、ディスクに書き込まれる。勿論、組み合わせも可能であり、幾つかの修復されたエクステントは、他のロケーションに書き込まれる。結果的に得られる修復されたエクステントは、修復プロセスがエラーのない後である。
【００２８】
書き込みバッファがフルになり始めるケースでは、プロセスは、書き込みプロセスの間のエクステントを書き込むためのリトライする代わりに、データファイルに「書込みされていない」部分を即座に書き込み始める。ディスクエリアを良好に利用するため、修復プロセスの間、オリジナルの不完全なエクステントが書き込まれたとき、物理的なリケーションに不完全なエクステントを書き込むのを少なくとも試みることが賢明である。これにより、使用されたディスクエリアの量を低減し、エクステントは、更に順序付けされた連続的な形式となり、高密度のアプリケーションについて読み取りプロセスの安定性が増加する。オリジナルエクステントが書き込まれたのと同じロケーションにデータを書き込むことを修復プロセスができなかった場合、別のロケーションに書き込み、これは、ディスクの物理的なロケーションが損傷されたことを示す。
【００２９】
修復プロセスが中断された場合、エラー部分は、従来技術に従って構成されるディスクリーダにより読み取り可能ではないが、全てのディスクリーダが１又は複数の異なるエラー検出及び処理システムを有するので、ディスクは失われた部分を除いて読み取り可能であり、情報の再生における突然の欠陥を引き起こす可能性がある。これは、データが修復されない場合でさえ、ディスクは本発明を実現しないシステムにより読み取り可能である。
【００３０】
本方法は、修復フェーズの間に割り込みに対処する可能性を更に有し、たとえばパワーダウンの状況、ユーザによるディスクの取り外し、又は本発明に係る記録装置を制御又は通信する装置における他のプロセスは、修復プロセスを中断させる。かかる割り込みが修復プロセスを中断させた場合、本発明に係る方法は、パワーアップ、ディスクインサートといった、可能な時に後のステージで修復プロセスを再開させる。修復プロセスの再開は、この新たな装置が本発明に係る方法を実現する限り、修復されていないエクステントを含むディスクが別のディスク記録装置に送出された場合でさえ、開始される場合がある。この新たな装置は、次いで、ディスクが挿入されたときに修復プロセスと継続又は開始することが可能である。
【００３１】
本方法は、以下のステップのリストで要約される。  
オリジナルの第一のエクステントをディスクに前もって割り当てるステップ、データを前記オリジナルの第一のエクステントに書き込むステップ、エラーの検出に応じて前記データの書き込みを停止するステップ、データファイルにおける前記ディスクに別のロケーションへの、前記オリジナルの第一のエクステントの未だ書き込まれていないデータの書き込みを継続するステップ、修復プロセスで、前記オリジナルの第一のエクステントを前記データファイルと結合し、たとえば全てのオリジナルのエクステントが書き込まれた後といった後の時間で、連続する修復されたエクステントを形成するステップ。
【００３２】
本発明の利点のうちの１つは、レコーダにおける大きなローカルストレージエリアを維持することが必ずしも必要ではなく、同時に、本発明を実現する装置が本発明を実現しない装置との互換性を保持することである。また、本発明に係る装置を使用して記録された装置は、本発明を実現しない装置での再生の間に互換性がある。
【００３３】
本発明は、本発明に係るディスク記録装置で実現され、コンピュータ読み取り可能な媒体で記憶され、処理ユニット３０１でたとえば実行されるコンピュータプログラムにおけるソフトウェアコードとして実現される。かかるディスク記録装置は、以下のアレンジメントを有する。エクステントを割り当てるアレンジメント、光ディスクのエクステントにデータを書き込むアレンジメント、エラーの検出に応じてエクステントへのデータの書き込みを停止するアレンジメント、第一のエクステントへのデータの書き込みの割り当てを保持するアレンジメント、データファイルにおける前記ディスクの別のロケーションへの、エクステントのデータの書き込みを継続するアレンジメント、修復プロセスで、第一のエクステントをデータファイルと結合して、後の時間で、連続的な修復されたエクステントを形成するアレンジメント。
【００３４】
本発明に係るコンプリートシステムは、ディスク、メカニカル及びオプティカルコンポーネント、制御及び処理システム、並びに出力手段を有し、制御及び処理システムは、本発明に係るエラー検出及びエラー回復を有する。
【００３５】
本発明の更に別の実施の形態は、第一のエクステント、及び、ディスクを読み取るときに不完全なエクステントを補正するデータファイル部分により供給される情報を活用するディスクリーダである。これは、ディスクが読み取られるたびに行われ、修復プロセスで一度のみではない。
【００３６】
本発明の１つの利点は、現在の最新技術と比較してかなり少ないローカルストレージで動作するディスクレコーダが設けられることである。これは、かなり少ないコストで生成されることを意味する。ＲＡＭ又は類似の高速揮発性メモリユニットのようなメモリは、非常に効果であり、記録装置の生産コストを著しく追加するためである。別の利点は、本発明で記録されるディスクは、未だ修復されていない場合でさえ、本発明を実現しないディスクリーダと互換性があることである。
【００３７】
本発明はＢｌｕ−Ｒａｙディスクを使用した実施の形態により例示されたが、断片化された記録ストラテジを活用した他の光記憶媒体又は他の記憶媒体について、類似の実施の形態が活用される場合がある。ＣＤ及びＤＶＤ記録フォーマットは、データが互いに年代的な連続する方式で記憶される記録ストラテジを活用するのに対し、断片化された記録ストラテジは、データがメディア上で散乱されて記憶され、ランダムアクセス方法でアクセスされることを意味する。
【００３８】
なお、用語「エクステント“extent”」及び「データファイル“data  file”」は、共にバイナリデータの情報ブロックを示し、相互に交換され、本発明の明確さを高めるために使用されているのみであるので、本発明の限定として解釈されるべきではない。
【００３９】
本発明は、ハードウェア、ソフトウェア、ファームウェア又はこれらの組み合わせを含む適切な形式で実現することができる。しかし、好ましくは、本発明は、１以上のデータプロセッサ及び／又はデジタルシグナルプロセッサで実行するコンピュータソフトウェアとして実現される。本発明の実施の形態のエレメント及びコンポーネントは、適切なやり方で物理的、機能的及び論理的に実現される。確かに、機能は、単一のユニットで実現されるか、複数のユニットで実現され、若しくは、他の機能ユニットの一部として実現される場合がある。かかるように、本発明は単一ユニットで実現され、異なるユニットとプロセッサとの間で物理的かつ機能的に分散される場合がある。
【００４０】
なお、本明細書で単語「有する“comprising”」は、それら列挙されたエレメント又はステップ以外の存在を排除するものではない。また、本発明は、ハードウェア及びソフトウェアの両者により実現される場合があり、幾つかの「手段」は、同一アイテムのハードウェアにより表される。
【００４１】
先に記載された実施の形態は、例として与えられており、本発明を限定するものではない。特許請求の範囲で記載される本発明の範囲における他のソリューション、使用、目的及び機能は、当業者にとって明らかである。
【図面の簡単な説明】
【００４２】
【図１】本発明に係る光学読取装置を例示する概念的なブロック図である。
【図２】本発明に係る方法に関する概念的なブロック図である。
【図３】本発明に係る装置の概念的なブロック図である。
【図１】
2008518374.tif 000003
【図２】
2008518374.tif 000004
【図３】
2008518374.tif 000005
【国際調査報告】
2008518374.tif 000006
2008518374.tif 000007
2008518374.tif 000008